(57)【要約】      （修正有）【課題】カメラ側のストロボ発光を的確に外部ストロボ側に伝送して外部ストロボのスレーブ発光を確実に実現し得る簡略構成の外部ストロボ用発光信号伝送具を提供する。【解決手段】ストロボ３付カメラ２と外部ストロボ１１とを組み合わせて、外部ストロボ１１をスレーブ発光させるカメラシステムに用いられる外部ストロボ用発光信号伝送具１であって、基端側の位置に回動可能に構成した装着具２２を備え、この装着具２２を外部ストロボ１１の側面に設けた受部１３に装着し、突出端側をカメラ２のストロボ３の発光面３ａとにわたって回動変位可能に構成した支持具２１と、支持具２１の突出端に配置した光電変換素子２３と、支持具全体にわたって挿通配置されるとともに、一端を前記光電変換素子２３に接続し、他端を外部ストロボ１１に設けた外部ストロボ発光駆動回路１５に接続した信号線２４と、を具備する発光信号伝送系と、を有するものである。【選択図】図１
2009069564.tif 000002
【特許請求の範囲】
【請求項１】
ストロボ付カメラと外部ストロボとを組み合わせるカメラシステムに用いられる外部ストロボ用発光信号伝送具であって、
基端側に設けた装着具を外部ストロボに設けた受部に装着し、突出端側をカメラのストロボの発光面に臨ませる支持具と、
前記支持具の突出端に配置した光電変換素子と、前記支持具全体にわたって配置されるとともに、一端を前記光電変換素子に接続し、他端を外部ストロボに設けた外部ストロボ発光駆動回路に接続した信号線と、を具備する発光信号伝送系と、
を有することを特徴とする外部ストロボ用の発光信号伝送具。
【請求項２】
ストロボ付カメラのホットシューに外部ストロボに設けた装着部を装着して外部ストロボをスレーブ発光させるカメラシステムに用いられる外部ストロボ用発光信号伝送具であって、
基端側の位置に回動可能に構成した装着具を備え、この装着具を外部ストロボの側面に設けた筒状の受部に装着し、突出端側をカメラのストロボの発光面に臨ませる位置と、外部ストロボの側面に設けた突出端側受部材に係止する位置とにわたって回動変位可能に構成した筒状の支持具と、
前記支持具の突出端に配置した光電変換素子と、前記支持具全体にわたって挿通配置されるとともに、一端を前記光電変換素子に接続し、他端を外部ストロボに設けた外部ストロボ発光駆動回路に接続した信号線と、を具備する発光信号伝送系と、
を有することを特徴とする外部ストロボ用の発光信号伝送具。
【請求項３】
前記支持具は、可撓性を有する筒状部材により形成していることを特徴とする請求項１又は２記載の外部ストロボ用の発光信号伝送具。
【請求項４】
前記装着具は、その外周部に多角形状の装着筒部を備え、前記受部は前記装着筒部を受け容れる多角形状の受穴を備え、前記装着具を前記受部に対して装着角度可変に構成したことを特徴とする請求項１乃至３のいずれかに記載の外部ストロボ用の発光信号伝送具。
【請求項５】
ストロボ付カメラのホットシューに外部ストロボに設けた装着部を装着して外部ストロボをスレーブ発光させるカメラシステムに用いられる外部ストロボ用発光信号伝送具であって、
基端側の位置に回動可能に構成した装着具を備え、この装着具を外部ストロボの側面に設けた筒状の受部に装着するとともに、複数の継手部材と複数の連結管とを交互にかつ連結箇所を各々回動可能に連結配置してフレキシブル構成として基端側を装着具に連結し、突出端側をカメラのストロボの発光面に臨ませる支持具と、
前記支持具の突出端に配置した光電変換素子と、前記支持具全体にわたって挿通配置されるとともに、一端を前記光電変換素子に接続し、他端を外部ストロボに設けた外部ストロボ発光駆動回路に接続した信号線と、を具備する発光信号伝送系と、
を有することを特徴とする外部ストロボ用の発光信号伝送具。
【請求項６】
ストロボ付カメラと外部ストロボとを組み合わせるカメラシステムに用いられる外部ストロボ用発光信号伝送具であって、
基端側に設けた装着具を外部ストロボに設けた受部に装着し、突出端側をカメラのストロボの発光面に臨ませる支持具と、
前記支持具全体にわたって挿通配置されるとともに、一端を前記カメラのストロボの発光面に臨ませ、他端を前記装着具及び受部を経て前記外部ストロボに備えた発光駆動回路の受光部に臨ませ前記ストロボの光を発光駆動回路に伝送する光ファイバからなる発光信号伝送系と、
を有することを特徴とする外部ストロボ用の発光信号伝送具。
【請求項７】
ストロボ付カメラのホットシューに外部ストロボに設けた装着部を装着して外部ストロボをスレーブ発光させるカメラシステムに用いられる外部ストロボ用発光信号伝送具であって、
基端側の位置に回動可能に構成した装着具を備え、この装着具を外部ストロボの側面に設けた筒状の受部に装着し、突出端側をカメラのストロボの発光面に臨ませる位置と、外部ストロボの側面に設けた突出端側受部材に係止する位置とにわたって回動変位可能に構成した筒状の支持具と、
前記支持具全体にわたって挿通配置されるとともに、一端を前記カメラのストロボの発光面に臨ませ、他端を前記装着具及び受部を経て前記外部ストロボに備えた発光駆動回路の受光部に臨ませ前記ストロボの光を発光駆動回路に伝送する光ファイバからなる発光信号伝送系と、
を有することを特徴とする外部ストロボ用の発光信号伝送具。
【請求項８】
前記支持具は、可撓性を有する筒状部材により形成していることを特徴とする請求項６又は７記載の外部ストロボ用の発光信号伝送具。
【請求項９】
前記装着具は、その外周部に多角形状の装着筒部を備え、前記受部は前記装着筒部を受け容れる多角形状の受穴を備え、前記装着具を前記受部に対して装着角度可変に構成したことを特徴とする請求項６乃至８のいずれかに記載の外部ストロボ用の発光信号伝送具。
【請求項１０】
ストロボ付カメラのホットシューに外部ストロボに設けた装着部を装着して外部ストロボをスレーブ発光させるカメラシステムに用いられる外部ストロボ用発光信号伝送具であって、
基端側の位置に回動可能に構成した装着具を備え、この装着具を外部ストロボの側面に設けた筒状の受部に装着するとともに、複数の継手部材と複数の連結管とを交互にかつ連結箇所を各々回動可能に連結配置してフレキシブル構成として基端側を装着具に連結し、突出端側をカメラのストロボの発光面に臨ませる支持具と、
前記支持具全体にわたって挿通配置されるとともに、一端を前記カメラのストロボの発光面に臨ませ、他端を前記装着具及び受部を経て前記外部ストロボに備えた発光駆動回路の受光部に臨ませ前記ストロボの光を発光駆動回路に伝送する光ファイバからなる発光信号伝送系と、
を有することを特徴とする外部ストロボ用の発光信号伝送具。
【発明の詳細な説明】
【技術分野】
【０００１】
本発明は、外部ストロボ用発光信号伝送具に関し、詳しくは、例えばストロボ付カメラのホットシューに外部ストロボに設けた装着部を装着して外部ストロボをスレーブ発光させるカメラシステムに用いられる外部ストロボ用発光信号伝送具に関する。
【背景技術】
【０００２】
従来、例えばストロボ（内蔵ストロボ）付カメラのホットシューに外部ストロボに設けた装着部を装着して外部ストロボをスレーブ発光させるカメラシステムにおいては、被写体を撮影するに際して、ストロボ付カメラのシャッタ操作に連動してそのストロボを発光させて被写体にストロボ光を照射し、被写体からの反射光を外部ストロボに設けた受光部により受光してこの受光信号を基に外部ストロボを発光させるように構成するのが一般的である。
【０００３】
この場合、被写体からの反射光を十分に得られる場合は外部ストロボのスレーブ発光を的確に行い良好な撮影条件の基に被写体を撮影できるが、被写体の種類や周囲環境によっては被写体からの反射光を十分に得ることができない場合も多々存在し、この結果、外部ストロボのスレーブ発光を的確に実現できず所望の撮影条件を確保できないという問題がある。
【０００４】
特許文献１には、ストロボ内蔵のカメラと、スレーブストロボとを両者の位置関係を変位可能にセットする板状の支持部材を備え、カメラの内蔵ストロボからの光をスレーブストロボに設けた受光部で受光し、スレーブストロボを同調発光させるように構成したカメラ用ブラケットが提案されている。しかし、このカメラ用ブラケットの場合、カメラと、スレーブストロボとを各々支持部材に取り付けて両者の位置関係を調整しなければならないという煩雑さがある。
【特許文献１】特開２００３−２３３１２１号公報
【発明の開示】
【発明が解決しようとする課題】
【０００５】
本発明が解決しようとする課題は、ストロボ付カメラに外部ストロボを組み合わせてスレーブ発光させるカメラシステムにおいて、カメラ側のストロボ発光を的確に外部ストロボ側に伝送して外部ストロボのスレーブ発光を確実に実現し、良好な撮影条件を確保し得る簡略構成の外部ストロボ用発光信号伝送具が存在しない点である。
【課題を解決するための手段】
【０００６】
本発明は、ストロボ付カメラと外部ストロボとを組み合わせるカメラシステムに用いられる外部ストロボ用発光信号伝送具であって、基端側に設けた装着具を外部ストロボに設けた受部に装着し、突出端側をカメラのストロボの発光面に臨ませる支持具と、前記支持具の突出端に配置した光電変換素子と、前記支持具全体にわたって配置されるとともに、一端を前記光電変換素子に接続し、他端を外部ストロボに設けた外部ストロボ発光駆動回路に接続した信号線と、を具備する発光信号伝送系と、を有することを最も主要な特徴とする。
【発明の効果】
【０００７】
請求項１乃至４記載の発明によれば、簡略でありながら、外部ストロボに装着し、突出端側の光電変換素子をカメラのストロボの発光面に臨ませることで、カメラのストロボの発光に連動させて外部ストロボのスレーブ発光を確実に実現でき、被写体の種類や周囲環境の如何にかかわらず良好な撮影条件を確保できる外部ストロボ用発光信号伝送具を提供できる。この場合に、ストロボ付カメラのホットシューに外部ストロボに設けた装着部を装着して外部ストロボをスレーブ発光させるカメラシステムとして使用したり、支持具を可撓性を有する筒状部材により形成した構成としたり、多角形状の装着筒部を備える装着具を多角形状の受穴に装着して装着角度可変に構成したりすることで、各々上記効果を発揮させることができる。
【０００８】
請求項５記載の発明によれば、複数の継手部材と複数の連結管とを交互にかつ連結箇所を各々回動可能に連結配置してフレキシブル構成とした支持具を採用し、基端側を装着具に連結し、突出端側の光電変換素子をカメラのストロボの発光面に臨ませることで請求項２記載の発明と同様な効果を発揮させることができる。
【０００９】
請求項６乃至９記載の発明によれば、外部ストロボに装着し、突出端側の光ファイバの端面をカメラのストロボの発光面に臨ませることで、カメラのストロボの発光に連動させて外部ストロボのスレーブ発光を確実に実現でき、被写体の種類や周囲環境の如何にかかわらず良好な撮影条件を確保できる外部ストロボ用発光信号伝送具を提供できる。この場合に、ストロボ付カメラのホットシューに外部ストロボに設けた装着部を装着して外部ストロボをスレーブ発光させるカメラシステムとして使用したり、支持具を可撓性を有する筒状部材により形成した構成としたり、多角形状の装着筒部を備える装着具を多角形状の受穴に装着して装着角度可変に構成したりすることで、各々上記効果を発揮させることができる。
【００１０】
請求項１０記載の発明によれば、複数の継手部材と複数の連結管とを交互にかつ連結箇所を各々回動可能に連結配置してフレキシブル構成とした支持具を採用し、基端側を装着具に連結し、突出端側の光ファイバの端面をカメラのストロボの発光面に臨ませることで請求項７記載の発明と同様な効果を発揮させることができる。
【発明を実施するための最良の形態】
【００１１】
本発明は、ストロボ付カメラに外部ストロボを組み合わせてスレーブ発光させるカメラシステムにおいて、カメラ側のストロボ発光を的確に外部ストロボ側に伝送して外部ストロボのスレーブ発光を確実に実現し良好な撮影条件を確保できる簡略構成の外部ストロボ用発光信号伝送具を提供するという目的を、ストロボ付カメラのホットシューに外部ストロボに設けた装着部を装着して外部ストロボをスレーブ発光させるカメラシステムに用いられる外部ストロボ用発光信号伝送具であって、基端側の位置に回動可能に構成した装着具を備え、この装着具を外部ストロボの側面に設けた筒状の受部に装着し、突出端側をカメラのストロボの発光面に臨ませる位置と、外部ストロボの側面に設けた突出端側受部材に係止する位置とにわたって回動変位可能に構成した筒状の支持具と、前記支持具の突出端に配置した光電変換素子と、前記支持具全体にわたって挿通配置されるとともに、一端を前記光電変換素子に接続し、他端を外部ストロボに設けた外部ストロボ発光駆動回路に接続した信号線と、を具備する発光信号伝送系と、を有する構成により実現した。
【実施例】
【００１２】
以下に、本発明の実施例に係る外部ストロボ用発光信号伝送具について図面を参照して説明する。
【００１３】
（実施例１）
本発明の実施例１に係る外部ストロボ用発光信号伝送具１について、ストロボ３付の例えばデジタル等からなるカメラ２のホットシュー４に、外部ストロボ１１に設けた装着部１２を着脱可能に装着して外部ストロボ１１をスレーブ発光させるカメラシステムを例にとり、図１乃至図６を参照して詳述する。
【００１４】
本実施例１に係る外部ストロボ用発光信号伝送具１は、図１、図２に示すように、カメラ２のストロボ３の光に基づく電気信号を外部ストロボ１１に内蔵した外部ストロボ発光駆動回路１５に伝送するように構成している。
【００１５】
すなわち、この外部ストロボ用発光信号伝送具１は、基端側の位置に回動可能に構成した装着具２２を備え、この装着具２２を外部ストロボ１１の筐体側面に設けた筒状の受部１３に装着し、突出端側をカメラ２のストロボ３の発光面３ａ近傍に臨ませる位置と、前記外部ストロボ１１の筐体側面に設けた例えば凹陥部を備える突出端側受部材１４に係止する位置とにわたって回動変位可能に構成した筒状部材により形成した例えば所定寸法（例えば長さ数ｃｍ乃至十ｃｍ）の支持具２１と、前記支持具２１の突出端に配置したフォトトランジスタ等からなる光電変換素子２３と、前記支持具２１の全体にわたって挿通配置されるとともに、一端を前記光電変換素子２３に接続し、他端を前記外部ストロボ１１に内蔵した外部ストロボ発光駆動回路１５に接続した信号線２４と、を具備する発光信号伝送系２５と、を有している。尚、図１、図２中、１７は外部ストロボ１１の発光面である。
【００１６】
前記支持具２１は、例えば薄肉金属管、合成樹脂管等を素材とする可撓性を有する筒状部材により形成し、これにより、カメラ２の種類に応じたホットシュー４の配置の相違や外部ストロボ１１自体の大きさの相違等に柔軟に対応し得るようにしている。
【００１７】
前記発光信号伝送系２５は、図３に示すように、前記カメラ２のストロボ３からの光を光電変換素子２３により受光して電気信号に変換し、この電気信号を信号線２４により前記外部ストロボ発光駆動回路１５に伝送して、これにより、外部ストロボ発光駆動回路１５の動作で外部ストロボ１１に内蔵したストロボランプ１６を発光させるように構成している。
【００１８】
前記装着具２２としては、図４に示すように、その外周部に例えば６角形状の装着筒部２２ａを備える構成、前記受部１３としては前記装着筒部２２ａを受け容れる６角形状の受穴１３ａを備える構成とし、前記装着具２２を前記受部１３に対して装着角度可変な構成とすることもできる。
【００１９】
前記装着筒部２２ａ、受穴１３ａの形状は、この他５角形状、８角形状等としてもよく、また、前記装着具２２を前記受部１３に対してクリック感をもって回動させ装着角度を可変とするクリック機構を採用してもよい。
【００２０】
このような構成を採用することにより、前記カメラ２のストロボ３と、外部ストロボ１１の受部１３との配置関係が、これらの型式の相違に応じて種々に異なる場合にも、前記支持具２１に配置した光電変換素子２３のカメラ２側のストロボ３に対する配置を最適化することができる。
【００２１】
図５は、上述した構成の発光信号伝送系２５を搭載した支持具２１を、前記外部ストロボ１１とは形状の異なる、すなわち、筐体上部を略円筒状とした外部ストロボ１１Ａに装着した状態を示すものである。
【００２２】
本実施例１に係る外部ストロボ用発光信号伝送具１において、前記支持具２１を外部ストロボ１１の受部１３に装着し、この支持具２１の突出端側に配置した光電変換素子２３を前記カメラ２におけるストロボ３の発光面３ａ近傍に臨ませた状態で、図示しない被写体に向けたカメラ２のシャッタを操作しストロボ３を発光させて被写体を撮影する。
【００２３】
このとき、ストロボ３からの光は被写体に向けて照射されるとともに、その光の一部は前記光電変換素子２３により受光され、電気信号に変換され、信号線２４を経て前記外部ストロボ駆動回路１５に伝送される。
【００２４】
これにより、外部ストロボ発光駆動回路１５の動作で外部ストロボ１１に内蔵したストロボランプ１６もスレーブ発光し、その光が被写体に照射される。
【００２５】
このようにして、本実施例１に係る外部ストロボ用発光信号伝送具１によれば、上述したような簡略でありながら、前記カメラ２のストロボ３の発光に連動させて外部ストロボ１１のスレーブ発光を確実に実現でき、被写体の種類や周囲環境の如何にかかわらず良好な撮影条件を確保できる。
【００２６】
図６は、前記外部ストロボ用発光信号伝送具１の変形例である外部ストロボ用発光信号伝送具１Ａを構成する支持具３１を示すものであり、この支持具３１は、基端側の位置に前記装着具２２を備えとともに、複数の継手部材３２と複数の連結管３３とを交互に、かつ、連結箇所を各々回動可能に連結配置してフレキシブル構成としている。そして、前記支持具３１の突出端側をカメラ２のストロボ３の発光面に臨ませるように構成している。
【００２７】
この支持具３１においても、既述した場合と同様な光電変換素子２３、信号線２４からなる発光信号伝送系２５を搭載している。
【００２８】
変形例の支持具３１を採用した外部ストロボ用発光信号伝送具１Ａによっても、既述した外部ストロボ用発光信号伝送具１の場合と同様な作用、効果を発揮させることができ、特にフレキシブル構成としていることから、カメラ２の種類に応じたホットシュー４の配置の相違や外部ストロボ１１自体の大きさの相違等に柔軟に対応可能である。
【００２９】
（実施例２）
次に、本発明の実施例２に係る外部ストロボ用発光信号伝送具１Ｂについて、図７、図８を参照して詳述する。尚、図乃至図１０において、実施例１に係る外部ストロボ用発光信号伝送具１の場合と同一の要素には同一の符号を付して示す。
【００３０】
本実施例２に係る外部ストロボ用発光信号伝送具１Ｂは、基本的構成は実施例１に係る外部ストロボ用発光信号伝送具１と同様な支持具４１を備えるが、前記光電変換素子２３、信号線２４からなる発光信号伝送系２５の替りに、前記支持具４１全体にわたって挿通配置されるとともに、一端を前記カメラ２のストロボ３の発光面３ａに臨ませ、他端を前記装着具２２及び受部１３を経て前記外部ストロボ１１に備えた外部ストロボ発光駆動回路１５の受光部１５ａに臨ませ前記ストロボ３の光を外部ストロボ発光駆動回路１５に伝送する光ファイバ４３からなる発光信号伝送系４４を搭載したことが特徴である。
【００３１】
前記発光信号伝送系４４は、図８に示すように、前記カメラ２のストロボ３からの光を光ファイバ４３の一端で受光し、この光ファイバ４３により外部ストロボ発光駆動回路１５の例えばフォトトランジスタ等からなる受光部１５ａに導光するように構成している。
【００３２】
外部ストロボ発光駆動回路１５においては、受光部１５ａにより光ファイバ４３から照射される光を電気信号に変換し、この電気信号により外部ストロボ発光駆動回路１５を動作させて外部ストロボ１１に内蔵したストロボランプ１６を発光させるように構成している。
【００３３】
本実施例２に係る外部ストロボ用発光信号伝送具１Ｂにおいて、前記支持具２１を外部ストロボ１１の受部１３に装着し、この支持具２１の突出端側の光ファイバ４３の一端を前記カメラ２におけるストロボ３の発光面３ａ近傍に臨ませた状態で、図示しない被写体に向けたカメラ２のシャッタを操作しストロボ３を発光させて被写体を撮影する。
【００３４】
このとき、ストロボ３からの光は被写体に向けて照射されるとともに、その光の一部は前記光ファイバ４３の一端に入射し、さらに光ファイバ４３により導光されて外部ストロボ発光駆動回路１５の受光部１５ａにより電気信号に変換され、これにより、外部ストロボ発光駆動回路１５の動作で外部ストロボ１１に内蔵したストロボランプ１６もスレーブ発光し、その光が被写体に照射される。
【００３５】
このようにして、本実施例２に係る外部ストロボ用発光信号伝送具１Ｂによれば、上述したような簡略でありながら、実施例１の場合と同様、前記カメラ２のストロボ３の発光に連動させて外部ストロボ１１のスレーブ発光を確実に実現でき、被写体の種類や周囲環境の如何にかかわらず良好な撮影条件を確保できる。
【００３６】
本実施例２においても、外部ストロボ用発光信号伝送具１Ｂにおける光ファイバ４３を挿通させる装着具２２としては、既述した図４に示すように、その外周部に例えば６角形状の装着筒部２２ａを備える構成、前記受部１３としては前記装着筒部２２ａを受け容れる６角形状の受穴１３を備える構成とし、前記装着具２２を前記受部１３に対して装着角度可変な構成としたり、また、前記装着筒部２２ａ、受穴１３の形状を５角形状、８角形状等としたり、さらには、前記装着具２２を前記受部１３に対してクリック感をもって回動させ装着角度を可変とするクリック機構を採用してもよい。
【００３７】
このような構成を採用することにより、実施例１の場合と同様、前記カメラ２のストロボ３と、外部ストロボ１１の受部１３との配置関係が、これらの型式の相違に応じて種々に異なる場合にも、前記支持具２１に配置した光ファイバ４３の一端の前記カメラ２側のストロボ３に対する配置を最適化することができる。
【００３８】
また、本実施例２においても、光ファイバ４３を挿通させるために、既述した図６に示す変形例の支持具３１を採用してもよく、この場合も既述した外部ストロボ用発光信号伝送具１の場合と同様な作用、効果を発揮させることができ、特にフレキシブル構成としていることから、カメラ２の種類に応じたホットシュー４の配置の相違や外部ストロボ１１自体の大きさの相違等に柔軟に対応可能である。
【００３９】
さらに、本実施例２に係る外部ストロボ用発光信号伝送具１Ｂは、既述した図５に示す外部ストロボ１１Ａについても実施例１の場合と同様に適用可能である。
【産業上の利用可能性】
【００４０】
本発明は、外部ストロボと組み合わせる対象がストロボを備えるカメラであれば、デジタルカメラ、スチールカメラの別を問わず、また、型式を問わず広範に適用可能であり、また、カメラを内蔵する水中カメラハウジングに対して外部ストロボを組み合わせるカメラシステムに関しても応用可能である。
【図面の簡単な説明】
【００４１】
【図１】本発明の実施例１に係る外部ストロボ用発光信号伝送具を外部ストロボに装着しカメラと組み合わせた状態を一部を断面として示す概略正面図である。
【図２】本実施例１に係る外部ストロボ用発光信号伝送具を外部ストロボに装着した状態を一部を断面として示す概略正面図である。
【図３】本実施例１に係る外部ストロボ用発光信号伝送具の発光信号伝送系を示すブロック図である。
【図４】本実施例１に係る外部ストロボ用発光信号伝送具装着具、受部の構成例を示す斜視ずである。
【図５】本実施例１に係る外部ストロボ用発光信号伝送具を形状の異なる外部ストロボに装着した例を示す正面図である。
【図６】本実施例１に係る変形例の外部ストロボ用発光信号伝送具を示す正面図である。
【図７】本発明の実施例２に係る外部ストロボ用発光信号伝送具を外部ストロボに装着しカメラと組み合わせた状態を一部を断面として示す概略正面図である。
【図８】本実施例２に係る外部ストロボ用発光信号伝送具の発光信号伝送系を示すブロック図である。
【符号の説明】
【００４２】
１    外部ストロボ用発光信号伝送具
１Ｂ  外部ストロボ用発光信号伝送具
２    カメラ
３    ストロボ
３ａ  発光面３ａ
４    ホットシュー
１１    外部ストロボ
１１Ａ  外部ストロボ
１２    装着部
１３    受部
１３ａ  受穴
１４    突出端側受部材
１５    外部ストロボ発光駆動回路
１５ａ  受光部
１６    ストロボランプ
１７    発光面
２１    支持具
２２    装着具
２３    光電変換素子
２４    信号線
２５    発光信号伝送系
３１    支持具
３２    継手部材
３３    連結管
４１    支持具
４３    光ファイバ
４４    発光信号伝送系
【図１】
2009069564.tif 000003
【図２】
2009069564.tif 000004
【図３】
2009069564.tif 000005
【図４】
2009069564.tif 000006
【図５】
2009069564.tif 000007
【図６】
2009069564.tif 000008
【図７】
2009069564.tif 000009
【図８】
2009069564.tif 000010